(57)【要約】【課題】  連結ブラケットを用いて支柱にビームを支持することによって，隣接するビームの支柱が近接して存在することによる煩雑感を解消して安定且つ確実な支持ができるようにする。【解決手段】  ビーム４端部を固定した自在継手１０の球体１５を，トップ用の連結ブラケット２０ａのブラケット本体２１ａに配置した前後に対向する一対の起立片２３，２４間に受入挟持し，該ブラケット本体２１ａの嵌合脚部２９を支柱１の中空部に挿入固定することによって，連結ブラケット２０ａによってビーム４を支柱１の上方に突出支持する。これと出幅調整自在とした持ち出し用の連結ブラケット２０ｂを用いて，直線部分，出隅及び入隅部分にビーム４を２段に配置したビーム手摺Ａとすることができる。【選択図】        図４
2005076247.tif 000002
【特許請求の範囲】
【請求項１】
隣接するビーム端部に固定した継手部と該継手部にビーム軸方向回転自在に連結し且つ傾斜対接面を有する半球体とを具備し上記半球体の傾斜対接面を相互に回転自在に対接固定することによって中央に球体を形成した自在継手と，該自在継手の上記中央の球体を前後対向一対の起立片間に回転自在に受入挟持して支柱の上方に突出支持し且つ下端に該支柱に嵌合固定する嵌合脚部とを備えたＩ字状のブラケット本体とを備えてなることを特徴とするトップビーム連結ブラケット。
【請求項２】
上記ブラケット本体の対向一対のうち一方の起立片を，上記自在継手の半球体前後中心線の両側に１／４円の角度をなすように幅狭に形成し，他方の起立片を１／４円以上の角度をなす幅広に形成し，上記幅狭一方の起立片を出隅及び入隅位置の屈曲した自在継手間内側に，上記他方の幅広の起立片を自在継手外側に配置してなることを特徴とする請求項１に記載のトップビーム連結ブラケット。
【請求項３】
上記ブラケット本体を，上記幅広の起立片を有する出隅及び入隅用２種のブラケット基部と，これらブラケット基部に後付固定自在に共通とした上記幅狭の起立片とによって形成して選択使用自在としてなることを特徴とする請求項２に記載のトップビーム連結ブラケット。
【請求項４】
支柱に固定した上記トップビーム連結ブラケットによって隣接するビームを支柱の上方に突出支持することによって形成したことを特徴とする請求項１，２又は３に記載のトップビーム連結ブラケットを用いたビーム手摺。
【発明の詳細な説明】
【技術分野】
【０００１】
本発明は傾斜面や階段において手摺として使用するビームを連結するブラケットに関し，特に直線部分と出隅及び／又は入隅のコーナー部分の３次元的角度にトップビームを支持し得るようにしたトップビーム連結ブラケットに関する。
【背景技術】
【０００２】
この種ビーム連結ブラケットとして，例えば隣接するビーム端部に固定した継手部と該継手部にビーム軸方向に回転自在に連結した傾斜対接面を有する半球体とを具備して該半球体の傾斜対接面を相互に回転自在に対接固定することによって中央に球体を形成具備した自在継手が知られており，このとき自在継手がビーム長手方向及び交差方向の双方の角度を変化して３次元的なビーム連結をなし得るものとされ，この場合ビーム長手方向両端に一対の支柱を起立配置し，該一対の支柱にビームを支持し，隣接するビームはその先端で上記自在継手を用いて相互に連結するものとされる。
【０００３】
【特許文献１】特開平９−１２５７４９号公報
【発明の開示】
【発明が解決しようとする課題】
【０００４】
この場合ビームは長手方向にそれぞれ一対の支柱に支持されるから，ビームの端部には隣接するビームをそれぞれ支持する一方の支柱が近接して配置され，例えば玄関前のスロープや階段のように人目に付き易い箇所に設置したとき煩雑な外観印象を与え易く，特に玄関からのスロープや階段が道路に至る間で内外方向に屈曲する出隅，入隅があると支柱が重なるように見えることも多く，煩雑感が増幅する傾向を招き易い。
【０００５】
この場合支柱をビーム間の自在継手位置に起立配置しブラケットによって支持することが考えられるが，自在継手が３次元的なビーム連結を行い，その中央の球体の半球体は相互に回転することによって，自在継手を支柱に支持するには該回転によるビーム角度の長手方向及び交差方向の変化を許容しながら，人が掴り歩行する手摺の機能として高度な安全性を確保し得るように安定確実なビーム支持を行なう必要が生じ，更に直線箇所のみならず出隅や入隅においてもそれぞれ支柱に１／２円に屈曲したビームを同様に安定支持する必要が生じる。
【０００６】
本発明は係る事情に鑑みてなされたもので，その解決課題とするところは，支柱をビーム間に起立配置し該支柱によって隣接するビーム支持を行なうことによって，ビームの長手方向に双方のビームを支持する一対の支柱が近接して存在するビーム手摺の煩雑感を解消するとともに安定且つ確実な支持を行なって手摺の安全性を確保する一方，直線部分のビーム連結のみならず，出隅及び／又は入隅部分のビーム連結にも共通に使用することによってこれらにも兼用できるようにしたトップビーム連結ブラケット及びこれを用いたビーム手摺を提供するにある。
【課題を解決するための手段】
【０００７】
上記課題に添って本発明は，自在継手の球体部分で該球体を前後に対向一対の起立片によって回転自在に受入挟持するブラケット本体を用いるとともに該ブラケット本体に嵌合脚部を配置することによって支柱上に設置して自在継手の回転を許容しながらトップビームを３次元的に連結し得るようにしたものであって，即ち請求項１に記載の発明を，隣接するビーム端部に固定した継手部と該継手部にビーム軸方向回転自在に連結し且つ傾斜対接面を有する半球体とを具備し上記半球体の傾斜対接面を相互に回転自在に対接固定することによって中央に球体を形成した自在継手と，該自在継手の上記中央の球体を前後対向一対の起立片間に回転自在に受入挟持して支柱の上方に突出支持し且つ下端に該支柱に嵌合固定する嵌合脚部とを備えたＩ字状のブラケット本体とを備えてなることを特徴とするトップビーム連結ブラケットとしたものである。
【０００８】
請求項２に記載の発明は，上記に加えて，前後対向一対の起立片が，直線部分はもとより，出隅及び／又は入隅部分においても自在継手中央の球体との接触面積を可及的に大きくして確実な受入挟持を行うとともにビームに水平方向乃至持ち上げ方向の力が作用し上記起立片が拡開して球体が抜けることによって起立片の受入挟持の安定性が損われることのないように，これを，上記ブラケット本体の対向一対のうち一方の起立片を，上記自在継手の半球体前後中心線の両側に１／４円の角度をなすように幅狭に形成し，他方の起立片を１／４円以上の角度をなす幅広に形成し，上記幅狭一方の起立片を出隅及び入隅位置の屈曲した自在継手間内側に，上記他方の幅広の起立片を自在継手外側に配置してなることを特徴とする請求項１に記載のトップビーム連結ブラケットとしたものである。
【０００９】
請求項３に記載の発明は，同じく上記に加えて，対向一対の起立片を異幅とするときその部品の共通化を可及的に図り得るものとするように，これを，上記ブラケット本体を，上記幅広の起立片を有する出隅及び入隅用２種のブラケット基部と，これらブラケット基部に後付固定自在に共通とした上記幅狭の起立片とによって形成して選択使用自在としてなることを特徴とする請求項２に記載のトップビーム連結ブラケットとしたものである。
【００１０】
請求項４に記載の発明は，これらのビーム連結ブラケットを用いて直線部分及びコーナー部分に添って傾斜角度自在に設置し得るビーム手摺を提供するように，これを，支柱に固定した上記トップビーム連結ブラケットによって隣接するビームを支柱の上方に突出支持することによって形成したことを特徴とする請求項１，２又は３に記載のトップビーム連結ブラケットを用いたビーム手摺としたものである。
【００１１】
本発明はこれらをそれぞれ発明の要旨として上記課題解決の手段としたものである。
【発明の効果】
【００１２】
本発明は以上のとおりに構成したから，請求項１に記載の発明は，支柱をビーム間に起立配置し該支柱によって隣接するビーム支持を行なうことによって，ビーム長手方向に一対のビームが存在する煩雑感を解消するとともにこれによってビームを安定且つ確実に支持してビーム手摺としての安全性を確保する一方，直線部分のビーム連結のみならず，出隅及び入隅の双方に又は出隅及び入隅の一方に共通に使用することによってこれらにも兼用できるようにしたトップビーム連結ブラケットを提供することができ，このとき自在継手の球体部分で該球体を前後に対向一対の起立片によって回転自在に受入挟持するブラケット本体を用いることによって長手方向及び交差方向のビーム角度の自在性を確保して隣接するビーム間の自在継手を強固に固定することができ，また嵌合脚部を用いて簡易に支柱に固定し得るものとすることができる。
【００１３】
請求項２に記載の発明は，上記に加えて，前後対向一対の起立片が，直線部分はもとより，出隅及び／又は入隅部分においても自在継手中央の球体を確実に受入挟持するとともにビームに水平方向乃至持ち上げ方向の力が作用し上記起立片が拡開することによって球体が抜けることによって起立片の受入挟持の安定性が損われることのないものとすることができる。
【００１４】
請求項３に記載の発明は，同じく上記に加えて，対向一対の起立片を幅狭と幅広の異幅とするときその部品の共通化を可及的に図り得るものとすることができる。
【００１５】
請求項４に記載の発明は，これらのトップビーム連結ブラケットを用いて直線部分及びコーナー部分に添って傾斜角度自在に設置し得るビーム手摺を提供することができる。
【発明を実施するための最良の形態】
【００１６】
以下図面の例に従って本発明を更に具体的に説明すれば，Ａは，例えばビームを複数段，例えば２段に配置したアルミ製階段用のビーム手摺，１は例えば円形断面中空とした支柱，３は該支柱１上にトップ用の連結ブラケット２０ａを介して長手方向に連結したトップビーム，４は支柱１の前方に持ち出し用の連結ブラケット２０ｂを介して該支柱１高さの中間高さに持出し支持した持ち出しの手摺ビームであり，トップビーム３及び手摺ビーム４は共通断面に形成し且つ共通の自在継手１０を用いてその隣接するビーム同士を連結してあり，このとき該共通の自在継手１０は，隣接するビーム３，４端部に固定した継手部１１と該継手部１１にビーム３，４軸方向に回転自在に連結した傾斜対接面１７を有する半球体１６とを具備して該半球体１６の傾斜対接面１７を相互に回転自在に対接固定することによって中央に球体１５を形成したものとし，半球体１６を相互に回転することによってビーム３，４を長手方向及び交差方向に角度を自在とする３次元的な連結をなし得るようにしてある。
【００１７】
トップ用及び持ち出し用の連結ブラケット２０ａ，２０ｂは，いずれも該自在継手１０の上記中央の球体１５を前後対向一対の起立片２３，２４間に回転自在に受入挟持するブラケット本体２１を備えている。
【００１８】
このときトップ用の連結ブラケット２０ａにおけるブラケット本体２１ａは，自在継手１０を支柱１の上方に突出支持し且つ下端に該支柱１に嵌合固定する嵌合脚部２９とを備えたＩ字状のものとして形成してあり，該嵌合脚部２９を支柱１の中空部上端に嵌合固定することによって支柱１の中心線上に自在継手１０の球体１５が位置するようにこれを支持してある。
【００１９】
また持ち出し用の連結ブラケット２０ｂにおけるブラケット本体２１ｂは，上記自在継手１０を支柱１の前方位置に持出し支持する側面Ｌ字状としてあり，連結ブラケット２０ｂは更にブラケット台座３０を備え且つ該ブラケット台座３０を上記支柱１に固定して上記ブラケット本体２１ｂを前後方向出幅調整自在に支持するものとしてあり，このとき該ブラケット台座３０の上記前後方向出幅調整幅を少なくともビーム４直線位置における自在継手１０と支柱１の距離Ｌの先端位置から２１／２×Ｌ（ルート２×Ｌ）までの幅として，該持ち出し用の連結ブラケット２０ｂによって支持した直線部分におけるビーム４の連結のみならず，出隅及び／又は入隅部分のビーム４連結にも共通に使用することによってこれらにも兼用できるようにしてある。
【００２０】
即ち連結ブラケット２０ａ，２０ｂは，その自在継手１０，ブラケット本体２１ａ又は２１ｂ，持ち出し用のものにあっては更にブラケット台座３０を，例えばアルミ鋳物，合成樹脂等の成形品により又は成形部品の組合せにより形成してある。
【００２１】
本例にあって自在継手１０は上記継手部１１と半球部１６とを備え，継手部１１をビーム３，４端部の受入被嵌によってその固定をなし得るように短筒状とし，その非ビーム側を先細状の連結部１２として，その先端を半球体１６の透孔に周縁を引掛け状に配置した座金１３に対してネジ１４止めすることによって該半球体１６にこれを回転自在とするように連結してあり，また半球体１６はビーム３，４の中心線に対して４５度の角度をなすように傾斜した傾斜対接面１７を有するとともにビーム３，４側に上記先細状の連結部１２をカバーして先端を継手部１１の周縁と嵌合する化粧カバー部１８を備えた同形の継手部材を一対用いて，隣接するビーム３，４に継手部１１を被嵌固定し，それぞれの半球体１６における４５度の傾斜対接面１７を相互に面接状とするように対接し，該４５度の傾斜面に直交する方向のネジによってこれら半球体１６を一体化して自在継手１０とするとともにその中央，即ち長手方向中央位置に該２つの半球体１６による球体１５を形成するようにしてある。
【００２２】
本例のブラケット本体２１ａ，２１ｂは，そのトップ用のもの及び持ち出し用のものの双方において，上記対向一対の起立片２３，２４を同形状に共通とし，その下位のブラケット基部２２を直立したトップ用のものと，Ｌ字状とした持ち出し用のものとしてあり，このとき本例のブラケット本体２１ａ，２１ｂは，その双方ともに，対向一対のうち一方の起立片２３を，上記自在継手１０の半球体前後中心線の両側に１／４円の角度をなすように幅狭に形成し，他方の起立片２４を１／４円以上の角度をなす幅広に形成し，上記幅狭一方の起立片２３を出隅及び入隅位置の屈曲した自在継手１０間内側に，上記他方の幅広の起立片２４を自在継手１０外側に配置して，その連結を行ったものとしてある。
【００２３】
このとき該ブラケット本体２１ａ，２１ｂは，同じくそのトップ用のもの及び持ち出し用のものの双方において，それぞれ上記幅広の起立片２４を有する出隅及び入隅用の２種，即ち出隅兼用及び入隅兼用としたブラケット基部２２と，これらブラケット基部２２に後付固定自在に共通とした上記幅狭の起立片２３とによって形成して選択使用自在とした，本例においてこれらをアルミ鋳物によってそれぞれ鋳造成形したものとしてあり，これによって可及的に幅狭の起立片２３をこれらに共通部品として，そのいずれのブラケット基部２２にも固定自在として，上記球体１５を受入挟持する前後に対向一対の起立片２３，２４をなすようにしてある。
【００２４】
即ちこれをトップ用の連結ブラケット２０ａについて見れば，起立片２３，２４は球体１５の外径に添う内径にしてビーム４の角度変化を許容するようにそのビーム４側両端部及び上方を開口して前後に対向するように配置した，本例において内外に球体１５と同心円をなす湾曲面乃至これから球体１５の受入挟持に影響しない範囲で肉盗み措置を施した厚肉部材によるものとしてあり，このとき共通部品の起立片２３は内外で湾曲面の横幅を外側において大，内側において小とするように側端を傾斜面とし，球体１５と中心を共通にして横幅の角度を１／４円丁度の９０度として相対的に幅狭とするとともに共通部品としてこれを上記ブラケット基部２２に固定するための固定部として下端から下向きに突出した厚肉プレート状の垂下片２６を備えたものとしてある。
【００２５】
ブラケット基部２２は，上記起立片２３と同様に構成し，その横幅の角度を１／４円以上の，例えば１２０〜１３０度程度とした幅広の起立片２４を上端に一体に備えて上下に垂直部をなすようにＩ字状のものとするとともにその一側に上記幅狭の起立片２３の垂下片２６を受止固定する対接固定部２７を備えたものとしてある。
【００２６】
このブラケット基部２２には上記対接固定部２７を一側に備えた垂直部の下部にこれを更に下方に延設するように支柱１上端の中空部に嵌合固定する嵌合脚部２９を備えてある。
【００２７】
一方持ち出し用の連結ブラケット２０ｂは，そのブラケット基部２２を垂直部と水平部によるＬ字状としその垂直部に同じく起立片２３の対接固定部２７を備えるとともに上記水平部を上記ブラケット台座３０に対する連結片２８とし，該連結片２８をブラケット台座３０に形成した連結片挿入部３１に挿入固定することによって前後に出幅調整自在としてあり，このとき該出幅調整は連結片挿入部３１の底面に調整用長孔３２を透設し，該調整用長孔３２によって連結片挿入部３１に挿入した連結片２８を固定してその長孔の長さに応じて進退することによって行なうようにしてあり，このとき該長孔の長さを上記Ｌから２１／２×Ｌまでの長さとすることにより直線部分と出隅又は入隅部分に連結ブラケット２０ｂを兼用するものとしてあり，このとき該連結ブラケット２０ｂの上記対接固定部２７をトップ用の連結ブラケット２０ｂの対接固定部２７と共通化して，上記幅狭の起立片２３をこれらの間で共用し得るようにしてある。
【００２８】
持ち出し用の連結ブラケット２０ｂにおける上記ブラケット台座３０は，そのブラケット基部２２の上記連結片２８を出幅調整自在に被嵌受入するように下面を載置面，上面及び側面を押え面とするとともにこれら上面及び側面を載置面より後方に傾斜するように短寸とし且つ上記載置面にその突出方向に向けた調整用長孔３２を透設具備した連結片挿入部３１と，該連結片挿入部３１後方に配置した支柱面接片３４に両端を連結して支柱１に取付固定する取付バンド３５とを備えたものとしてあり，このとき該調整用長孔３２は，ビーム４の直線連結部分における支柱１と自在継手１０における支柱に平行な中心線の距離をＬとしたときに該Ｌの先端位置から少なくとも２１／２×Ｌまでの幅とするようにその長さを設定してある。
【００２９】
連結ブラケット２０ａ，２０ｂによるビーム３，４の支柱支持は，例えば連結ブラケット２０ａ，２０ｂの支柱１への固定，その前後に対向一対の起立片２３，２４間への自在継手１０における球体１５の装着による受入挟持，自在継手１０の継手部１１とビーム３，４長手方向端部の固定の手順によってこれを行うものとしてあり，このときこれらを仮止め状態して，例えば上記自在継手１０の装着前又は後に仮設定した自在継手１０のビーム長手方向及び交差方向の角度を再度調整した後に，連結ブラケット２０ａ，２０ｂの一方又は双方の起立片２３，２４の外側，例えば中間位置から球体１５に斜めにネジ２５を螺入して球体１５を固定して上記仮止めした部材の本止めをするものとしてある。
【００３０】
即ち連結ブラケット２０ａ，２０ｂの支柱固定は，上記トップ用のものにおいては，ブラケット基部２２の嵌合脚部２９を支柱１上端からその中空部に嵌合してネジで仮固定するものとし，持ち出し用のものにおいては，例えば取付バンド３５の両端の固定片部を台座ブラケット３０の支柱面接片３４と重合してネジ３６止めし，該取付バンド３５によって台座ブラケット３０を支柱１の所定高さ位置に固定し，その載置面に連結片２８を載置するように連結片挿入部３１に連結片２８を挿入して，載置面の調整用長孔３２を介してネジ３３によって連結片２８を該長孔の長さ範囲で所定の出幅位置とするように仮止めして台座ブラケット３０にブラケット基部２２を仮固定して行なうものとしてある。起立片２３，２４による球体１５の受入挟持は，トップ用，持ち出し用ともに，支柱１に仮固定したブラケット基部２２に形成した幅広の起立片２４に球体１５をあてがうようにして幅狭の起立片２３を，その垂下片２６をブラケット基部２２の対接固定部２７にネジ止めによって仮固定するようにこれを行なうものとしてある。自在継手１０へのビーム３，４長手方向端部の固定は，自在継手１０の両側の継手部１１をビーム３，４の端部の中空部に受入被嵌してネジ２５止めによって仮固定してこれを行なうものとしてある。自在継手１０によるビーム３，４の角度調整は球体１５を形成する各半球体１６の傾斜対接面１７を相互に回転し，ビーム３，４の長手方向及び交差方向の角度に応じた傾斜対接面１７相互の位置を設定するようにこれを行うものとし，また最後の本止めは常法に従って固定に使用した各ネジを本締めすることによって行うものとしてある。
【００３１】
このとき直線部分及びある程度，即ち幅広の起立片２４が障害にならない角度の屈曲部分において対向一対の幅広及び幅狭の起立片２３，２４はその前後いずれであってもよいが，ビーム３，４が直交するように幅広の起立片２４が障害となる屈曲部分の，特に出隅又は入隅の連結部位にあっては，屈曲したビーム３，４間内側に幅狭の起立片２３が，ビーム３，４の外側に幅広の起立片２４が位置するようにブラケット基部２２の取付を行なうことによって，出隅において幅広の起立片２４が前方の外側，幅狭の起立片２３が後方の内側，入隅において幅広の起立片２４が後方の外側，幅狭の起立片２３が前方の内側にそれぞれ位置するように配置すればよい。
【００３２】
以上のように構成したビーム手摺Ａは，その上記連結ブラケット２０ａ，２０ｂを用いることによって直線部分及びコーナー部分に添って傾斜角度自在に設置することができ，また連結ブラケット２０ａ，２０ｂは，支柱１をビーム３，４間に起立配置し該支柱１によって隣接するビーム３，４支持を行なうことによって，ビーム長手方向に双方のビーム３又は４を支持する一対の支柱１が近接して存在するビーム手摺Ａの煩雑感を解消するとともに安定且つ確実な支持を行なって手摺Ａの安全性を確保する一方，直線部分のビーム３又は４連結のみならず，出隅及び／又は入隅部分のビーム３，４連結にも共通に使用することによってこれらにも兼用できるようにした直線及びコーナー兼用のものとすることができる。このとき上記持ち出し用の連結ブラケット２０ｂにあっては，その調整用長孔３２の長さを上記ビーム４の直線連結部分における支柱１と自在継手１０における支柱に平行な中心線の距離をＬとしたときに該Ｌの先端位置から少なくとも２１／２×Ｌまでの幅としてあるから，ビーム４を持ち出し支持することによって直線部分とコーナー部分，特に出隅及び／又は入隅位置とにおける支柱１とビーム４を連結した自在継手１０中央の球体１５間の寸法が異なることになるのに対応してブラケット本体２１ｂが支柱１との間でＬから２１／２×Ｌまでの間で出幅調整が可能となり，従って直線部分を最小のＬの出幅とし，出隅及び／又は入隅部分で２１／２×Ｌの出幅とするように，支柱１と球体１５の出幅調整を行なうことによって，ビーム４の直線部分，出隅及び／又は入隅部分，更にはこれらの間の任意の角度に応じてビーム４を支柱１に持ち出し支持することができるから，上記トップ用の連結ブラケット２０ａと同時に用いて複数段のビーム手摺Ａを容易に構成できる。
【００３３】
なお図中４０は，本例においてビーム手摺Ａの端部に位置するビーム３，４をその長手方向端部近傍で支柱１に支持するように用いた下支えブラケットである。
【００３４】
図示した例は以上のとおりとしたが，本発明の実施に当って，ビーム手摺，ビーム，自在継手，連結ブラケット，そのブラケット本体，対向一対の起立片，ブラケット台座等の各具体的形状，構造，材質，これらの関係，これらに対する付加等は，上記発明の要旨に反しない限り様々な形態のものとすることができる。
【図面の簡単な説明】
【００３５】
【図１】ビーム手摺の正面図である。
【図２】ビーム手摺の平面図である。
【図３】トップ用の連結ブラケットによるビーム支持状態を示す斜視図である。
【図４】トップ用の連結ブラケットによるビーム支持状態を示す分解斜視図である。
【図５】トップ用の連結ブラケットの斜視図である。
【図６】トップ用の連結ブラケットの向きを変えた斜視図である。
【図７】持ち出し用の連結ブラケットによるビーム支持状態を示す斜視図である。
【図８】持ち出し用の連結ブラケットによるビーム支持状態を示す分解斜視図である。
【図９】持ち出し用の連結ブラケットの斜視図である。
【図１０】持ち出し用の連結ブラケットの向きを変えた斜視図である。
【図１１】支柱と持ち出し用連結ブラケットの関係を示す縦断面図である。
【図１２】持ち出し用の連結ブラケットと自在継手及びビームとの関係を示す横断面図である。
【符号の説明】
【００３６】
Ａ  ビーム手摺
１  支柱
３  ビーム
４  ビーム
１０  自在継手
１１  継手部
１５  球体
１６  半球体
２０ａ  連結ブラケット
２０ｂ  連結ブラケット
２１ａ  ブラケット本体
２１ｂ  ブラケット本体
２３  起立片
２４  起立片
３０  ブラケット台座
【図１】
2005076247.tif 000003
【図２】
2005076247.tif 000004
【図３】
2005076247.tif 000005
【図４】
2005076247.tif 000006
【図５】
2005076247.tif 000007
【図６】
2005076247.tif 000008
【図７】
2005076247.tif 000009
【図８】
2005076247.tif 000010
【図９】
2005076247.tif 000011
【図１０】
2005076247.tif 000012
【図１１】
2005076247.tif 000013
【図１２】
2005076247.tif 000014